(57)【要約】【課題】外観面で良好に片口金蛍光ランプの最冷点の温度上昇を抑えてランプ光束を向上できる照明器具を提供する。【解決手段】照明器具１０は、下方が開口された器具本体１１と、器具本体１１に装着される片口金蛍光ランプ１２とを備え、片口金蛍光ランプ１２は、その先端部２６が軸線に対して器具本体１１の開口側に傾斜される。【選択図】図２
2012089426.tif 000002
【特許請求の範囲】
【請求項１】
下方が開口された器具本体と、
前記器具本体に装着される片口金蛍光ランプとを備え、
前記片口金蛍光ランプは、その先端部が軸線に対して前記器具本体の開口側に傾斜される照明器具。
【請求項２】
請求項１に記載の照明器具において、
前記片口金蛍光ランプは、前記先端部が前記器具本体の開口端に位置される照明器具。
【発明の詳細な説明】
【技術分野】
【０００１】
本発明は、片口金蛍光ランプを用いてデスクスタンドに適用される照明器具に関する。
【背景技術】
【０００２】
従来より、器具本体に片口金蛍光ランプが装着され、片口金蛍光ランプの先端部が器具本体の外方の空気に直接触れるようにした照明器具が知られている（例えば、特許文献１参照）。
特許文献１に記載の照明器具は、片口金蛍光ランプの先端部が器具本体の外方の空気に直接触れることにより、片口金蛍光ランプの最冷点の温度上昇を抑えて光束の低下を抑制できる。
【先行技術文献】
【特許文献】
【０００３】
【特許文献１】特開平４−３５７６０５号公報（図１、請求項１）
【発明の概要】
【発明が解決しようとする課題】
【０００４】
しかし、前述した特許文献１に記載された照明器具は、片口金蛍光ランプの先端部が器具本体から露出している。
従って、前述した特許文献１に記載された照明器具は、外観上の面で良好とは言えない。
【０００５】
ところで、前述した特許文献１に記載された照明器具と同様に、器具本体の天井面側に複数の放熱用の孔を設けて片口金蛍光ランプの先端部の熱を放熱するようにした照明器具が提案されている。
しかし、このような従来の照明器具は、前述した特許文献１に記載された照明器具と同様に、外観上の面で良好とは言えない。
【０００６】
一般的に、消費電力当たりにどのくらいの明るさを引き出せるかは、エネルギー消費効率で表される。このエネルギー消費効率は、ＪＩＳにより以下の数式に定められている。
【０００７】
【数１】
2012089426.tif 000003
【０００８】
数式１により明らかなように、ランプ温度が高い状況においては、温度補正係数は低い。そのため、エネルギー消費効率を上げるためには、温度補正係数を上げる必要がある。
図３に示すように、ランプ最冷点温度と温度補正係数との関係により明らかなように、温度補正係数を上げるためには、ランプ最冷点温度を下げる必要がある。
【０００９】
本発明は、前述した課題を解決するためになされたものであり、その目的は、外観面で良好に片口金蛍光ランプの最冷点の温度上昇を抑えてランプ光束を向上できる照明器具を提供することにある。
【課題を解決するための手段】
【００１０】
本発明に係る照明器具は、下方が開口された器具本体と、前記器具本体に装着される片口金蛍光ランプとを備え、前記片口金蛍光ランプは、その先端部が軸線に対して前記器具本体の開口側に傾斜される。
【００１１】
本発明に係る照明器具は、前記片口金蛍光ランプは、前記先端部が前記器具本体の開口端に位置される。
【発明の効果】
【００１２】
本発明に係る照明器具によれば、外観面で良好に片口金蛍光ランプの最冷点の温度上昇を抑えてランプ光束を向上できるという効果を奏する。
【図面の簡単な説明】
【００１３】
【図１】本発明に係る一実施形態の照明器具の外観斜視図
【図２】本発明に係る一実施形態の照明器具の器具本体周りの垂直断面図
【図３】照明器具におけるランプ最冷点温度と温度補正係数との関係図
【発明を実施するための形態】
【００１４】
以下、本発明に係る一実施形態の照明器具について図面を参照して説明する。
図１に示すように、本発明に係る一実施形態の照明器具１０は、下方が開口された器具本体１１と、器具本体１１に収容される片口金蛍光ランプ１２と、片口金蛍光ランプ１２の照射方向を変更させるためのアーム１３と、不図示の点灯装置を収容してアーム１３を支持する電源タワー１４と、電源タワー１４の前面に配置されたスイッチ１５と、点灯装置に電気的に接続されて電源タワー１４から引き出された電源線１６と、電源タワー１４を支持する基台１７と、を備えるデスクスタンドである。
【００１５】
図２に示すように、器具本体１１は、金属製または硬質の樹脂製であり、半円筒形状に形成されて下方に開口部１９を有する天板１８と、天板１８の基端部に接続されたソケット収容部２０と、天板１８の先端部に接続された端板２１とを有する。器具本体１１は、ソケット収容部２０にソケット２２が取り付けられている。器具本体１１は、天板１８の内側に天板１８に相似する半円筒形状に形成された反射板２３を有し、ソケット２２の反対側にランプ支持ばね２４が取り付けられている。
【００１６】
片口金蛍光ランプ１２は、片方である基端部に口金２５を有する。片口金蛍光ランプ１２は、基端部の口金２５がソケット２２に電気的に接続され、先端部２６がランプ支持ばね２４に嵌め付けられることにより、器具本体１１に取り付けられる。ソケット２２は点灯装置に電気的に接続されている。
なお、片口金蛍光ランプ１２は、単一本数に限らず、２本以上の複数本であってもよい。
【００１７】
このとき、ランプ支持ばね２４が、片口金蛍光ランプ１２の先端部２６を器具本体１１の軸線Ａ１に対して器具本体１１の天板１８に有する開口部１９側に向けて角度θ１で傾斜したランプ軸線Ａ２を有するように片口金蛍光ランプ１２を設定する。
従って、片口金蛍光ランプ１２は、点灯時に、先端部２６と反射板２３との間に熱が溜まったとしても、器具本体１１の天板１８に有する開口部１９側に傾斜された先端部２６が、器具本体１１の外側の外気に積極的に接触されるために、最冷点の温度上昇を抑えることができる。
【００１８】
器具本体１１の軸線Ａ１に対して器具本体１１の天板１８に有する開口部１９側に向けて角度θ１で傾斜したランプ軸線Ａ２を有する片口金蛍光ランプ１２は、先端部２６が器具本体１１の天板１８に有する開口部１９に位置される。
従って、片口金蛍光ランプ１２は、器具本体１１の天板１８に有する開口部１９側に傾斜された先端部２６が、器具本体１１の天板１８に有する開口部１９の端縁に位置されるために、外部に露出せずに外観面で良好にできる。
【００１９】
以上、説明した一実施形態の照明器具１０によれば、片口金蛍光ランプ１２の点灯時に、片口金蛍光ランプ１２の先端部２６と反射板２３との間に熱が溜まったとしても、器具本体１１の天板１８に有する開口部１９側に傾斜された先端部２６が、器具本体１１の外側の外気に積極的に接触されるために、片口金蛍光ランプ１２の最冷点の温度上昇を抑えてランプ光束を向上できる。
【００２０】
また、一実施形態の照明器具１０によれば、片口金蛍光ランプ１２において器具本体１１の開口部１９側に傾斜された先端部２６が、器具本体１１の天板１８に有する開口部１９の端縁に位置されるために、片口金蛍光ランプ１２が外部に露出せずに外観面で良好にできる。
【００２１】
なお、本発明の照明器具において器具本体，片口金蛍光ランプ，ソケット，ランプ支持ばね等は、前述した実施形態に限定されるものでなく、適宜な変形や改良等が可能である。
【符号の説明】
【００２２】
１０  照明器具
１１  器具本体
１２  片口金蛍光ランプ
２６  先端部
【図１】
2012089426.tif 000004
【図２】
2012089426.tif 000005
【図３】
2012089426.tif 000006